(57)【要約】【課題】  グラフェンコーティング層を備えた傘を提供する。【解決手段】  グラフェンコーティング層を備えた傘の本体は傘布２０、傘布２０を結合する傘支柱体１０を有し、傘布２０は布体２１０、布体２１０片側に塗布されるグラフェンコーティング層２２０を有し、グラフェンコーティング層２２０を備えた傘を開くと、グラフェンコーティング層２２０は傘を差す人に面し、傘布２０がグラフェンコーティング層２２０を備えるため、傘を差している時、日光中の一部のエネルギーは遠赤外線に転換され、傘を差している人へと照射され、傘を差している人は遠赤外線を受け取った後、血流がスムーズとなり、新陳代謝は促進され、こうして身体の免疫力が増強される。【選択図】  図１
0003234900.tif 000002
【実用新案登録請求の範囲】
【請求項１】
グラフェンコーティング層を備えた傘であって、本体は、傘布及び前記傘布を結合する傘支柱体を有し、
前記傘布は布体、及び前記布体片側に塗布されるグラフェンコーティング層を有し、
前記グラフェンコーティング層を備えた傘を開くと、前記グラフェンコーティング層は、傘を差す人に面する
ことを特徴とする
グラフェンコーティング層を備えた傘。
【請求項２】
前記グラフェンコーティング層は、グラフェン接着剤を前記布体上に塗布し、乾燥及び固定して形成する
ことを特徴とする
請求項１に記載のグラフェンコーティング層を備えた傘。
【請求項３】
前記グラフェン接着剤は、０．５〜１．５重量パーセンテージの染料、０．５〜１．５重量パーセンテージの増粘剤、０．５〜１．５重量パーセンテージの抗酸化剤、１０〜１４重量パーセンテージのグラフェン、及び１２〜１８重量パーセンテージの水を含む
ことを特徴とする
請求項１に記載のグラフェンコーティング層を備えた傘。
【請求項４】
前記グラフェン接着剤は、１重量パーセンテージの染料、１重量パーセンテージの増粘剤、１重量パーセンテージの抗酸化剤、１２重量パーセンテージのグラフェン、及び１５重量パーセンテージの水を含む
ことを特徴とする
請求項３に記載のグラフェンコーティング層を備えた傘。
【請求項５】
前記布体の材質は、絹紬（Ｐｏｎｇｅｅ）布、ポリエステル繊維（Ｐｏｌｙｅｓｔｅｒ）布、オックスフォードクロス、ナイロン布、サテンクロス、ポリ塩化ビニル（Ｐｏｌｙｖｉｎｙｌ  Ｃｈｌｏｒｉｄｅ，ＰＶＣ）布、パールクロス、エチレン／酢酸ビニル共重合体（Ｅｔｈｙｌｅｎｅ  Ｖｉｎｙｌ  Ａｃｅｔａｔｅ，ＥＶＡ）布、或いは混紡綿布である
ことを特徴とする
請求項１に記載のグラフェンコーティング層を備えた傘。
【請求項６】
前記布体は、前記グラフェンコーティング層とは異なる側に、防水層を塗布する
ことを特徴とする
請求項１に記載のグラフェンコーティング層を備えた傘。
【請求項７】
前記防水層は、防水接着剤を前記布体上に塗布し、乾燥及び固定して形成する
ことを特徴とする
請求項６に記載のグラフェンコーティング層を備えた傘。
【請求項８】
前記布体を通して日光が前記グラフェンコーティング層に照射されると、前記グラフェンコーティング層は、一部の日光を、２μｍ〜２２μｍの遠赤外線に転換する
ことを特徴とする
請求項１に記載のグラフェンコーティング層を備えた傘。
【考案の詳細な説明】
【技術分野】
【０００１】
本考案は傘に関し、特に自然光線を遠赤外線光に転換できるグラフェンコーティング層を備えた傘に関する。
【背景技術】
【０００２】
遠赤外線はスペクトラム中の波長が１５〜４００μｍ域にある光線で、可視光線である赤色光の外側にある不可視光線であるが、人は「熱」としてその存在を感じることができる。
その内、４μｍ〜１４μｍ範囲の遠赤外線は、人体の分子と共振を生じ、毛細血管の拡張を促し、血行をスムーズにし、有害物質の体内からの排出を助け、新陳代謝を促進することで、身体の免疫力を増強する。
そのため、この範囲内の遠赤外線は、「生育の光」とも呼ばれている。
【０００３】
自然界には遠赤外線を含む光源は多く、中でも最大の源は太陽である。
しかし、太陽光線は波長が多様な光源で、中には人体に害を及ぼす紫外線をも含む。
もし、ただ単に遠赤外線をたくさん吸収するため、日射を浴びるなら、人体に益となる前述の効能は得られても、日焼けによるマイナス効果がある。
よって、「生育の光」をより多く得るためには、別の手段が必要であるが、グラフェン及びその派生物は、上記のニーズに応えることができる。
グラフェン繊維を紡織繊維中に混入し衣服を製造すれば、その衣服は日光を遠赤外線に転換し、或いは人体が発散する遠赤外線を反射して再び人体に戻すことができ、こうして保暖効果を達成すると同時に血行を促進でき、幅広い応用が期待される。
【０００４】
一方、強い日射の下外出する際、人は日傘を用いて日射がもたらす害を回避する。
しかし、角度を変えて見れば、日傘は有害な光線をろ過し、傘内には暑さだけが残される。
もし傘を差すと同時に、日傘が外部からの日光中から遠赤外線を取り出して傘内にいる人に提供できれば、傘を差すと同時に「養生」を行うこともできる。
即ち、この目的を達成するため、本考案の自然光線を遠赤外線光に転換できるグラフェンコーティング層を備えた傘が開発された。
【考案の概要】
【考案が解決しようとする課題】
【０００５】
前記先行技術の日傘は有害な光線をろ過するが傘内には暑さだけが残されるという欠点がある。
【課題を解決するための手段】
【０００６】
本考案はグラフェンコーティング層を備えた傘に関する。
【０００７】
本考案によるグラフェンコーティング層を備えた傘の本体は、傘布及び該傘布を結合する傘支柱体を有する。
該傘布は布体、及び該布体片側に塗布されるグラフェンコーティング層を有し、該グラフェンコーティング層を備えた傘を開くと、該グラフェンコーティング層は、傘を差す人に面する。
【０００８】
該グラフェンコーティング層は、グラフェン接着剤を該布体上に塗布し、乾燥及び固定して形成する。
該グラフェン接着剤は、０．５〜１．５重量パーセンテージの染料、０．５〜１．５重量パーセンテージの増粘剤、０．５〜１．５重量パーセンテージの抗酸化剤、１０〜１４重量パーセンテージのグラフェン、及び１２〜１８重量パーセンテージの水を含む。
好ましくは、該グラフェン接着剤は、１重量パーセンテージの染料、１重量パーセンテージの増粘剤、１重量パーセンテージの抗酸化剤、１２重量パーセンテージのグラフェン、及び１５重量パーセンテージの水を含む。
【０００９】
本考案に基づき、該布体の材質は、絹紬（Ｐｏｎｇｅｅ）布、ポリエステル繊維（Ｐｏｌｙｅｓｔｅｒ）布、オックスフォードクロス、ナイロン布、サテンクロス、ポリ塩化ビニル（Ｐｏｌｙｖｉｎｙｌ  Ｃｈｌｏｒｉｄｅ，ＰＶＣ）布、パールクロス、エチレン／酢酸ビニル共重合体（Ｅｔｈｙｌｅｎｅ  Ｖｉｎｙｌ  Ａｃｅｔａｔｅ，ＥＶＡ）布、或いは混紡綿布である。
【００１０】
該布体は、該グラフェンコーティング層とは異なる側に、防水層をさらに塗布する。
該防水層は、防水接着剤を該布体上に塗布し、乾燥及び固定して形成する。
【００１１】
該布体を通して日光が該グラフェンコーティング層に照射されると、該グラフェンコーティング層は、一部の日光を、２μｍ〜２２μｍの遠赤外線に転換する。
【００１２】
傘布がグラフェンコーティング層を備えるため、傘を差している時、日光中の一部のエネルギーは、遠赤外線に転換され、傘を差している人へと照射される。
傘を差している人は、遠赤外線を受け取った後、血流がスムーズとなり、新陳代謝は促進され、こうして身体の免疫力は増強される。
【図面の簡単な説明】
【００１３】
【図１】本考案実施形態のグラフェンコーティング層を備えた傘の側視図である。
【図２】傘布の側視構造である。
【考案を実施するための形態】
【００１４】
（一実施形態）
本考案実施形態によるグラフェンコーティング層を備えた傘１の側面断面図である図１に示す通り、本考案グラフェンコーティング層を備えた傘１の形態に制限はなく、雨傘、日傘、自動開閉傘、手動開閉傘、折畳み傘、直傘、ビーチパラソル、杖兼用傘、防爆傘、多機能傘などとすることができる。
説明の便のため、図１に示すグラフェンコーティング層を備えた傘１は日傘を例とする。
【００１５】
グラフェンコーティング層を備えた傘１の本体は、傘布２０及び傘布２０を結合する傘支柱体１０を有する。
実際には、傘支柱体１０の主要機能は、一般の傘骨構造と同じで、傘布を連接し張り、しかも使用者はこれにより手で持って操作できる。
図１に示す通り、傘体１０包含了傘布２０と結合する数個の親骨１１０、親骨１１０一端を集めて結合する上ろくろ１１１、一端が親骨１１０を補助して支えてする数個の受骨１１２、親骨１１０と受骨１１２を可動するように連接する数個のだぼ１１３、受骨１１２反対端を集めて結合する下ろくろ１１４、親骨１１０末端と傘布２０辺縁を結合する数個の露先１１５、中棒１１６、中棒１１６上方に位置する石突１１７、中棒１１６上に位置し上ろくろ１１１を定位する上はじき１１８、中棒１１６上に位置し傘を閉じる下はじき１１９、及び中棒１１６下方に連接するハンドル１２０を有する。
説明の便のため、図１では、ページ面に平行でない親骨１１０と受骨１１２は省いている。
親骨１１０、受骨１１２、露先１１５の組合せ総数について、本考案では限定しない。
【００１６】
本考案の技術特徴は傘布２０にある。
図２は、傘布２０の側視構造を示す。
傘布２０は、布体２１０、布体２１０片側に塗布するグラフェンコーティング層２２０、及びグラフェンコーティング層２２０側とは異なる、布体２１０の片側に塗布する片側防水層２３０を有する。
布体２１０は、日除け、風除け、防御に用いる本体で、布体２１０の材質は、絹紬（Ｐｏｎｇｅｅ）布、ポリエステル繊維（Ｐｏｌｙｅｓｔｅｒ）布、オックスフォードクロス、ナイロン布、サテンクロス、ポリ塩化ビニル（Ｐｏｌｙｖｉｎｙｌ  Ｃｈｌｏｒｉｄｅ，ＰＶＣ）布、パールクロス、エチレン／酢酸ビニル共重合体（Ｅｔｈｙｌｅｎｅ  Ｖｉｎｙｌ  Ａｃｅｔａｔｅ，ＥＶＡ）布、或いは混紡綿布であるが、これに限定されない。
【００１７】
グラフェンコーティング層２２０は、布体２１０からの日光を、遠赤外線に転換できる。
以下にさらに説明を進める。
図１に示す通り、日光が傘面に照射されると（中空矢印参照）、一部の日光は反射される（ドット矢印参照）。
布体２１０を通った日光がグラフェンコーティング層２２０に照射されると、グラフェンコーティング層２２０は一部の日光（斜線矢印参照）を２μｍ〜２２μｍの遠赤外線に転換する。
本考案に基づき、グラフェンコーティング層を備えた傘１を開くと、グラフェンコーティング層２２０は、傘を差す人に面する。
製造の面では、グラフェンコーティング層２２０は、グラフェン接着剤を布体２１０上に塗布し、乾燥及び固定して形成する。
本考案に基づき、グラフェン接着剤は、０．５〜１．５重量パーセンテージの染料、０．５〜１．５重量パーセンテージの増粘剤、０．５〜１．５重量パーセンテージの抗酸化剤、１０〜１４重量パーセンテージのグラフェン、及び１２〜１８重量パーセンテージの水を含む。
本実施形態中では、グラフェン接着剤は、１重量パーセンテージの染料、１重量パーセンテージの増粘剤、１重量パーセンテージの抗酸化剤、１２重量パーセンテージのグラフェン、及び１５重量パーセンテージの水を含む。
【００１８】
防水層２３０の機能は、布体２１０への雨水の滲水を防止することで、防水接着剤を布体２１０上に塗布し、乾燥及び固定して形成する。
【００１９】
前述した本考案の実施形態は本考案を限定するものではなく、よって、本考案により保護される範囲は後述される実用新案登録請求の範囲を基準とする。
【符号の説明】
【００２０】
１  グラフェンコーティング層を備えた傘、
１０  傘支柱体、
１１０  親骨、
１１１  上ろくろ、
１１２  受骨、
１１３  だぼ、
１１４  下ろくろ、
１１５  露先、
１１６  中棒、
１１７  石突、
１１８  上はじき、
１１９  下はじき、
１２０  ハンドル、
２０  傘布、
２１０  布体、
２２０  グラフェンコーティング層、
２３０  防水層。
【図１】
0003234900.tif 000003
【図２】
0003234900.tif 000004